(57)【要約】【課題】  本発明は魚釣用スピニングリールに係り、釣針を容易にリール本体に係止でき、釣針端部の仕掛けの所謂ブラブラ発生をなくしてリール本体の突出部に絡み付くのを防止し、併せて釣針によるベールやガイド等の損傷をなくした魚釣用スピニングリールを提供することを目的とする。【解決手段】  請求項１に係る発明は、リール本体に装着された巻取り駆動機構の駆動軸に連結されるハンドルを備えた魚釣用スピニングリールに於て、前記リール本体の側部側に、先端側に釣針係止部を有するフックホルダーを外方へ向けて突設したことを特徴とする。  そして、請求項２に係る発明は、請求項１に記載の魚釣用スピニングリールに於て、前記フックホルダーは、反ハンドル側の駆動軸上の外方に突設されていることを特徴とする。【選択図】    図３
2010172298.tif 000002
【特許請求の範囲】
【請求項１】
リール本体に装着された巻取り駆動機構の駆動軸に連結されるハンドルを備えた魚釣用スピニングリールに於て、
前記リール本体の側部側に、先端側に釣針係止部を有するフックホルダーを外方へ向けて突設したことを特徴とする魚釣用スピニングリール。
【請求項２】
前記フックホルダーは、反ハンドル側の駆動軸上の外方に突設されていることを特徴とする請求項１に記載の魚釣用スピニングリール。
【請求項３】
前記釣針係止部は、前記ハンドルの操作で回転するロータに取り付く釣糸案内部の回転軌跡より、半径方向外方に配置されていることを特徴とする請求項１または請求項２に記載の魚釣用スピニングリール。
【請求項４】
前記フックホルダーは、着脱自在であることを特徴とする請求項１乃至請求項３のいずれか１項に記載の魚釣用スピニングリール。
【発明の詳細な説明】
【技術分野】
【０００１】
本発明は魚釣用スピニングリールに係り、詳しくは仕掛けの釣針によるベールや釣竿のガイド等の傷付き防止を図った魚釣用スピニングリールに関する。
【背景技術】
【０００２】
魚釣用スピニングリール（以下、「スピニングリール」という）の不使用時に、スプールに巻回された釣糸端末のほつれを防止するため、特許文献１には、図９及び図１０に示すようにリール本体１のギヤボックス３の一側開口部に蓋体５をネジ７で固定するに当たり、該ネジ７を用いて釣糸挟着片９を蓋体５に共締め固定すると共に、蓋体５側に、釣糸挟着片９に対応する釣糸係止溝１１を形成した糸止め装置１３が開示されている。
【０００３】
また、図示しないが特許文献２には、リール本体のベールアーム反転用ノック部材に、釣糸を挟持する挟持部を設けたスピニングリールが開示されており、この従来例にあっても、挟持部で釣糸を挟持することによって、スピニングリールの不使用時にスプールに巻回された釣糸端末のほつれが防止できることとなる。
【発明の概要】
【発明が解決しようとする課題】
【０００４】
しかし乍ら、前記従来例は何れも釣糸を係止するものであるため、釣糸端部の仕掛けが動いて、仕掛けがリール本体の突出部に絡まり易い不具合が指摘されていた。
【０００５】
また、釣人によってはベールや釣竿のガイドに釣針を係止させることがあるが、釣針によってベールやガイドが傷付き、糸切れの一因となっていた。
【０００６】
本発明は斯かる実情に鑑み案出されたもので、釣針を容易にリール本体に係止でき、釣針端部の仕掛けの所謂ブラブラ発生をなくしてリール本体の突出部に絡み付くのを防止し、併せて釣針によるベールやガイド等の損傷をなくしたスピニングリールを提供することを目的とする。
【課題を解決するための手段】
【０００７】
斯かる目的を達成するため、請求項１に係る発明は、リール本体に装着された巻取り駆動機構の駆動軸に連結されるハンドルを備えたスピニングリールに於て、前記リール本体の側部側に、先端側に釣針係止部を有するフックホルダーを外方へ向けて突設したことを特徴とする。
【０００８】
そして、請求項２に係る発明は、請求項１に記載のスピニングリールに於て、前記フックホルダーは、反ハンドル側の駆動軸上の外方に突設されていることを特徴とし、請求項３に係る発明は、請求項１または請求項２に記載のスピニングリールに於て、前記釣針係止部は、前記ハンドルの操作で回転するロータに取り付く釣糸案内部の回転軌跡より、半径方向外方に配置されていることを特徴とする。
【０００９】
更に請求項４に係る発明は、請求項１乃至請求項３のいずれか１項に記載のスピニングリールに於て、前記フックホルダーは着脱自在であることを特徴とする。
【発明の効果】
【００１０】
請求項１に係る発明によれば、リール本体の側部側にフックホルダーが突出する構造としたので、釣針を容易にリール本体に係止でき、釣針端部の仕掛けの所謂ブラブラ発生をなくしてリール本体の突出部に絡み付くのを防止することができると共に、ベールや釣竿のガイドに仕掛けの釣針を係止させる必要がなくなるため、釣針でベールやガイド等を傷付けることがなくなり、糸切れの原因を解消できることとなる。
【００１１】
そして、請求項２に係る発明によれば、フックホルダーをリール本体の反ハンドル側に取り付けたため、仕掛けの係止を容易に行えると共に、ハンドルの操作に支障を来すことがない。
【００１２】
また、請求項３に係る発明によれば、釣針係止部を釣糸案内部の回転軌跡より半径方向外方に配置したので、釣針を釣針係止部に引っ掛けても、釣竿と釣糸に角度がつくため、釣糸が釣糸案内部やロータの支持アーム等に絡まる等のトラブルを確実に回避することができる。
【００１３】
更に、請求項４に係る発明によれば、実釣の動作を行わないとき、例えば釣行時の移動時や家での釣竿の保管時に、スピニングリールにフックホルダーが取り付いていてフックホルダーが邪魔になる場合には、フックホルダーを取り外すことができ、また、フックホルダーをオプションパーツとして既存のスピニングリールに応用でき、幅広い対応が可能となる。
【図面の簡単な説明】
【００１４】
【図１】釣竿に取り付く請求項１乃至請求項４の第一実施形態に係るスピニングリールの側面図である。
【図２】スピニングリールの要部切欠き側面図である。
【図３】スピニングリールの要部切欠き背面図である。
【図４】フックホルダーの要部拡大断面図である。
【図５】図３のＡ−Ａ線断面図である。
【図６】カラーとこれに取り付く釣針係止部の斜視図である。
【図７】請求項１乃至請求項４の第二実施形態に係るスピニングリールの要部切欠き背面図である。
【図８】請求項１乃至請求項４の第三実施形態に係るスピニングリールの要部切欠き背面図である。
【図９】従来のスピニングリールの側面図である。
【図１０】糸止め装置の要部拡大断面図である。
【発明を実施するための形態】
【００１５】
以下、本発明の実施形態を図面に基づいて説明する。
【００１６】
図１は固定フード２１と移動フード２３を介して釣竿２５のリールシート２７に取り付く請求項１乃至請求項４の第一実施形態に係るスピニングリール２９の側面図、図２は該スピニングリール２９の要部切欠き側面図を示し、図２中、３１は軸受３３を介してリール本体３５の前部に回転可能に支持された中空なフライヤ軸で、その先端に円筒状に形成されたロータ３７がナット３９で固定されている。
【００１７】
そして、図２及び図３に示すようにフライヤ軸３１の後端側外周に設けられたピニオン４１に、ハンドル４３の駆動軸４５に回り止め嵌着した駆動歯車４７が噛合しており、ハンドル４３の回転操作（巻取り操作）が、駆動軸４５，駆動歯車４７，ピニオン４１等からなる巻取り駆動機構によりフライヤ軸３１に伝達されて、ロータ３７が釣糸巻取り方向へ回転するようになっている。
【００１８】
尚、前記ハンドル４３と駆動軸４５は、ハンドル４３のハンドルアーム４３ａに一体的に取り付くシャフト４８が駆動軸４５内に回り止め嵌合されており、シャフト４８の端部に設けた雌ネジ部５０に、後述するフックホルダー８１が断面Ｔ字状のワッシャ５２を介してネジ止めされている。
【００１９】
そして、図１及び図３に示すようにロータ３７の基部には、一対の支持アーム４９が前方へ向けて一体に延設されており、両支持アーム４９の先端に、一対の支持部材５１が釣糸巻取り位置と釣糸放出位置とに反転自在に取り付けられている。そして、両支持部材５１間に半環状のベール５３が取り付き、一方のベール支持部材５１にラインローラ（釣糸案内部）５５が回転可能に装着されている。
【００２０】
また、図２中、５７はフライヤ軸３１内を挿通してリール本体３５の前後方向に摺動可能に支持されたスプール軸で、スプール軸５７のロータ側突出端にスプール５９がドラグノブ６１を介して取り付き、スプール軸５７の後端側に、周知のトラバース機構（スプール往復動装置）６３の摺動子６５が連結されている。
【００２１】
そして、従来と同様、ベール５３を釣糸放出位置へ倒して仕掛けをキャスティングすると、スプール５９の釣糸巻回胴部６７に巻回された釣糸（図１中、符号６９）が、釣竿２５に装着された複数のガイド７１を通してスパイラル状に繰り出され、また、ベール５３を釣糸巻取位置側へ倒してハンドル４３を巻取り操作すると、トラバース機構６３によりロータ３７の回転に連動して前後方向へ往復動するスプール５９の釣糸巻回胴部６７に、釣糸６９がラインローラ５５を介して巻回されるようになっている。
【００２２】
更に、前記フライヤ軸３１の略中間部分の外周には、キャスティング時や釣糸の巻取り操作時にハンドル４３の逆回転を阻止する一方向クラッチ７３からなる周知の逆転防止機構７５が装着されており、リール本体３５の後部側に、逆転防止機構７５の切換えレバー７７が装着されている。
【００２３】
そして、図２に示すように本実施形態に係るスピニングリール２９は、既述した構成に加え、リール本体３５の反ハンドル側に、先端側に釣針係止部７９を有するフックホルダー８１を外方へ向けて突設したことを特徴とする。
【００２４】
即ち、図３に示すようにリール本体３５の左右側部には、夫々、前記駆動軸４５を軸心として側面視円形状のハンドル装着口８３，８５が外方へ環状に突出して設けられており、夫々の外周には、フックホルダー８１の非使用時にハンドル装着口８３，８５を閉塞するキャップ（図示せず）が螺着可能にネジが螺刻されている。そして、図示するように本実施形態は、左側のハンドル装着口８３にハンドル４３が装着され、右側のハンドル装着口８５にフックホルダー８１が駆動軸４５と同軸上に着脱自在に挿着されている。
【００２５】
図３乃至図５に示すようにフックホルダー８１は、一例として金属材や合成樹脂材等で形成された中実な円柱状（棒状）のフックホルダー本体８７と、該フックホルダー本体８７の先端側に取り付く釣針係止部７９と、該釣針係止部７９をフックホルダー本体８７に軸受８９を介して回転可能に取り付ける筒状のカラー９１と断面略Ｔ字状の止着部材９３、そして、カラー９１や止着部材９３をフックホルダー本体８７に締め付け固定する固定ネジ９５からなり、止着部材９３の頂部はフックホルダー本体８７と同一径の半球状に形成されて、その中央にネジ挿通孔９７が設けられている。
【００２６】
そして、図３に示すようにフックホルダー本体８７の後端側中央には、前記ネジ部５０が開口する駆動軸４５の端部と同一径の円柱状の連結軸９９が形成され、該連結軸９９の中央に、前記雌ネジ部５０に螺着する雄ネジ１０１が取り付けられている。
【００２７】
更に、フックホルダー本体８７の後端側外周には、順次拡開して前記ハンドル装着口８５の外周を覆うスカート部１０３が設けられており、斯様に前記ワッシャ５０を介して雄ネジ１０１が前記雌ネジ部５０に螺着することで、駆動軸４５に連動してフックホルダー８１がハンドル４３操作で回転し、また、フックホルダー８１によって駆動軸４５やハンドル４３の抜け止めが図られている。
【００２８】
一方、図４に示すようにフックホルダー本体８７の先端側には、筒状の小径部１０５が設けられており、その中央に前記固定ネジ９５が螺着する雌ネジ部１０７が設けられている。そして、小径部１０５の外周に図６に示すカラー９１が挿入されており、カラー９１の外径はフックホルダー本体８７の大径部分と同一径とされて、フックホルダー本体８７と面一に取り付けられている。そして、図５及び図６に示すようにカラー９１の内周に、前記釣針係止部７９を止着する１本のスリット１０９が軸方向に形成されると共に、該スリット１０９と連通する挿通孔１１１が周壁に設けられている。
【００２９】
図４及び図６に示すように釣針係止部７９は、１本の短寸な金属製の線材の中央をコ字状に折曲させて仕掛けの釣針１１３が係止可能な凸状部１１５が形成されており、カラー９１の一端側から釣針係止部７９を挿入して、凸状部１１５を前記挿通孔１１１に挿通させてこれを外方へ突出させ乍ら釣針係止部７９をスリット１０９内に収納した後、図４の如く前記止着部材９３の筒状部１１７をカラー９１内に挿入することで、釣針係止部７９の位置決め保持が図られている。
【００３０】
そして、図４に示すように止着部材９３のネジ挿通孔９７の内周には、軸受８９を係止する段差部１１９が設けられており、該段差部１１９に軸受８９を係止させて固定ネジ９５を雌ネジ部１０７に螺着すると、該軸受８９を介して止着部材９３とカラー９１が、フックホルダー本体８７の小径部１０５に回転可能に取り付くようになっている。
【００３１】
このように、フックホルダー８５が駆動軸４５と一体に同軸上に取り付き、該フックホルダー８５の先端側に釣針係止部７９が取り付けられているが、図３に示すように釣針係止部７９は、ハンドル４３の操作で回転するロータ３７に取り付くラインローラ５５の回転軌跡（図３中、符号Ｃ）より半径方向外方に配置されており、図１の如く竿先側のガイド７１から釣糸６９を伸ばして釣針１１３を釣針係止部７９の凸状部１１５に引っ掛けた際に、釣竿２５と仕掛けに結ばれた釣糸６９に角度がついて、釣糸６９がロータ３７や支持アーム４９に当たることがないようになっている。
【００３２】
本実施形態はこのように構成されているから、実釣の動作を行わないとき、例えば釣行時の移動時や家での保管時にスピニングリール２９が取り付いた釣竿２５を釣竿ケースに収納する場合、スピニングリール２９にフックホルダー８１が取り付いていてフックホルダー８１が邪魔になる場合には、駆動軸４５から取り外し、駆動軸４５の雌ネジ部５０に抜け止め用のネジ部材（図示せず）を螺着してハンドル装着口８５にキャップを取り付けておけばよい。
【００３３】
そして、釣場で前記ネジ部材とキャップを外し、フックホルダー８１の雄ネジ１０１を駆動軸４５の雌ネジ部５０に螺着して、フックホルダー８１をスピニングリール２９に取り付ければよい。
【００３４】
一方、スピニングリール２９の取り付いた釣竿２５を釣竿ケースに収納する場合、フックホルダー８１が取り付いていても邪魔にならなければ、スピニングリールからフックホルダー８１を取り外す必要はなく、縮めた釣竿２５の竿先側のガイド７１から釣糸６９を伸ばして釣針１１３を釣針係止部７９の凸状部１１５に引っ掛けておけばよく、釣針係止部７９がラインローラ５５の回転軌跡より半径方向外方に配置されているため、釣竿２５と仕掛けに結ばれた釣糸６９に角度がついて釣糸６９がラインローラ５５や支持アーム４９等に絡まることがない。
【００３５】
そして、釣場で前記フックホルダー８１が取り付いたスピニングリール２９を使用すれば、ハンドル４３の操作で回転する駆動軸４５と共にフックホルダー８１は回転するが、フックホルダー８１はリール本体３５の反ハンドル側に取り付いているため、ハンドル４３の操作に支障を来すことがない。
【００３６】
また、釣場でのスピニングリール２９の不使用時には、図１の如く竿先側のガイド７１から釣糸６９を伸ばして釣針１１３を釣針係止部７９の凸状部１１５に引っ掛けておけばよく、釣針係止部７９がラインローラ５５の回転軌跡より半径方向外方に配置されているため、釣竿２５と仕掛けに結ばれた釣糸６９に角度がついて釣糸６９がラインローラ５５や支持アーム４９等に絡まることがない。
【００３７】
更に、釣針係止部７９とカラー９１，止着部材９３は軸受８９を介してフックホルダー本体８７の小径部１０５に回転可能であるから、常に釣針係止部７９を竿先側に向けておくことができ、また、凸状部１１５に釣針１１３を引っ掛けた状態で釣糸６９が緩んだときは、ハンドル４３を回転操作すればフックホルダー８１が回転して釣糸６９が真っ直ぐに矯正されると同時に、釣針係止部７９は釣糸６９で引っ張られて回転することで竿先側を向くこととなる。
【００３８】
このように本実施形態によれば、前記フックホルダー８１を用いることで、釣糸６９端末のほつれを防止することができると共に、ベール５３や釣竿２５のガイド７１に釣針１１３を係止させる必要がなくなるため、釣針１１３でベール５３やガイド７１を傷付けることがなくなり、糸切れの原因が解消できることとなる。
【００３９】
また、釣針係止部７９をラインローラ５５の回転軌跡より半径方向外方に配置したので、釣針１１３を釣針係止部７９の凸状部１１５に引っ掛けても、釣竿２５と釣糸６９に角度がつくため、釣糸６９がラインローラ５５や支持アーム４９等に絡まる等のトラブルを確実に回避することができる。
【００４０】
更に、本実施形態はフックホルダー８１をリール本体３５の反ハンドル側に取り付けたため、ハンドル４３の操作に支障を来すことがない。
【００４１】
更にまた、本実施形態はフックホルダー８１をリール本体３５に着脱自在としたので、既述したように釣行時の移動時や家での釣竿２５の保管時に、スピニングリール２９にフックホルダー８１が取り付いていてフックホルダー８１が邪魔になる場合には、駆動軸４５から取り外すことができるため、収納に支障を来すことがなく、また、フックホルダー８１をオプションパーツとして既存のスピニングリールに応用でき、幅広い対応が可能となる。
【００４２】
而も、既述したように釣針係止部７９とカラー９１，止着部材９３は軸受８９を介してフックホルダー本体８７の小径部１０５に回転可能であるから、常に釣針係止部７９を竿先側に向けておくことができ、釣針１１３を凸状部１１５から取り外す作業が容易となり、また、凸状部１１５に釣針１１３を引っ掛けた状態で釣糸６９が緩んだときは、ハンドル４３を回転操作すればフックホルダー８１が回転して釣糸６９が真っ直ぐに矯正されると同時に、釣針係止部７９が釣糸６９で引っ張られて回転することで竿先側を向く利点を有する。
【００４３】
図７は請求項１乃至請求項４の第二実施形態に係るスピニングリール２９-1を示し、本実施形態は、駆動歯車４７が取り付く駆動軸４５-1の両端に夫々雄ネジ部１２１，１２３を形成し、ハンドル４３-1のハンドルアーム４３ａ-1に両雄ネジ部１２１，１２３に螺着可能な雌ネジ部１２５を設けると共に、フックホルダー８１-1のフックホルダー本体８７-1の後端側に形成した連結軸９９-1に、両雄ネジ部１２１，１２３に螺着可能な雌ネジ部１２７を設けたものである。
【００４４】
そして、図示するように本実施形態は、リール本体３５の右側に開口するハンドル装着口８５側の雄ネジ部１２１にハンドルアーム４３ａ-1を螺着し、他方のハンドル装着口８３側の雄ネジ部１２３に、フックホルダー８１-1を駆動軸４５-1と同軸上に螺着している。
【００４５】
また、図中、１２９はフックホルダー本体８７-1の後端側に取り付くスカート部材で、該スカート部材１２９によってハンドル装着口８３の外周が覆われている。尚、その他の構成は図１の実施形態と同様であるので、同一のものには同一符号を付してそれらの説明は省略する。
【００４６】
本実施形態はこのように構成されているから、本実施形態によっても前記第一実施形態と同様、所期の目的を達成することが可能で、釣針１１３でベール５３やガイド７１を傷付けることがなくなると共に、釣針１１３を釣針係止部７９の凸状部１１５に引っ掛けても、釣竿２５と釣糸６９に角度がつくため、釣糸６９がラインローラ５５や支持アーム４９等に絡まる等のトラブルを確実に回避することができる。
【００４７】
図８は請求項１乃至請求項４の第三実施形態に係るスピニングリール２９-2を示し、本実施形態は、前記第二実施形態に代え、リール本体３５の左側に開口するハンドル装着口８３側の雄ネジ部１２３に、ハンドルアーム４３ａ-2を螺着し、他方のハンドル装着口８３の外周に設けたネジ部（図示せず）にフックホルダー本体８１-2を駆動軸４５-1と同軸上に螺着したもので、フックホルダー本体８７-2の後端側に設けたスカート部１０３-1の内周には、ハンドル装着口８３，８５の外周に設けたネジ部に螺着可能な雌ネジが螺刻されている。そして、ハンドル４３-2のハンドルアーム４３ａ-2の後端側に、両雄ネジ部１２１，１２３に螺着可能な雌ネジ部１３１が形成されている。
【００４８】
尚、その他の構成は前記第一，二実施形態と同様であるので、同一のものには同一符号を付してそれらの説明は省略する。
【００４９】
このように本実施形態は、ハンドル装着口８３の外周にフックホルダー本体８７-2を螺着してフックホルダー８１-2を回転不能としたが、釣針係止部７９とカラー９１，止着部材９３は軸受８９を介してフックホルダー本体８７-2の小径部１０５に回転可能であるから、常に釣針係止部７９を竿先側に配置させておくことができ、この結果、前記実施形態と同様、所期の目的を達成することが可能である。
【００５０】
尚、既述した各実施形態は、何れもフックホルダー８１，８１-1，８１-2を駆動軸４５，４５-1と同軸上に取り付けたが、斯かる構造に限定されず、例えばフックホルダーを竿先側に傾斜させて取り付けたり、駆動軸上の外方ではないリール本体の反ハンドル側に取り付けてもよい。
【００５１】
更にまた、釣針係止部は、コ字状の凸状部１１５を形成した前記釣針係止部７９に代え、例えばフックホルダーのフックホルダー本体に、直接釣針が係止可能な貫通孔や係止凸部を形成して釣針係止部としたり、前記フックホルダー８１の端部に設けた止着部材９３に、直接釣針が係止可能な釣針係止部を形成してもよい。
【符号の説明】
【００５２】
２５  釣竿
２９，２９-1，２９-2  スピニングリール
３５  リール本体
３７  ロータ
４３，４３-1  ハンドル
４５，４５-1  駆動軸
４７  駆動歯車
４９  支持アーム
５０，１０７，１２５，１２７，１３１  雌ネジ部
５１  ベール支持部材
５２  ワッシャ
５３  ベール
５５  ラインローラ（釣糸案内部）
５７  スプール軸
５９  スプール
６９  釣糸
７１  ガイド
７９  釣針係止部
８１，８１-1，８１-2  フックホルダー
８３，８５  ハンドル装着口
８７，８７-1，８７-2  フックホルダー本体
８９  軸受
９１  カラー
９３  止着部材
９５  固定ネジ
９９，９９-1  連結軸
１０１  雄ネジ
１０３，１０３-1  スカート部
１０５  小径部
１０９  スリット
１１１  挿通孔
１１３  釣針
１１５  凸状部
１１７  筒状部
１２１，１２３  雄ネジ部
１２５，１２７
１２９  スカート部材
【先行技術文献】
【特許文献】
【００５３】
【特許文献１】実開昭５６−１３１７７０号公報
【特許文献２】実開昭５５−１４２９７３号公報
【図１】
2010172298.tif 000003
【図２】
2010172298.tif 000004
【図３】
2010172298.tif 000005
【図４】
2010172298.tif 000006
【図５】
2010172298.tif 000007
【図６】
2010172298.tif 000008
【図７】
2010172298.tif 000009
【図８】
2010172298.tif 000010
【図９】
2010172298.tif 000011
【図１０】
2010172298.tif 000012